(57)【特許請求の範囲】
【請求項１】
ガス機器と連絡されたガス流路を開閉する流体制御弁、前記流体制御弁を駆動する駆動手段、前記駆動手段へ駆動信号を出力する駆動回路部、前記駆動回路部の出力を制御する駆動制御手段、前記ガス流路を流れるガスの流量計測手段、前記流量計測手段からの信号で流量を演算し前記駆動手段を制御する演算処理部、および無線信号の受信手段を装備したガスメータと、
前記ガス機器が備えるグリル内に設定することで前記ガス機器の温度を検知する温度センサと、
この温度センサが設定値以上の温度を検知したとき、前記ガスメータの受信手段へ無線信号を出力する送信手段とを具備し、
前記送信手段からの無線信号の出力を前記ガスメータの受信手段が受けると、その受信信号によって前記演算処理部が前記駆動制御手段、および駆動手段を介して前記流体制御弁を閉成するようにしたガス遮断制御装置。
【発明の詳細な説明】
【０００１】
【発明の属する技術分野】
本発明は、流路中を流れるガス流体の流れを開閉制御するガス遮断制御装置に関する。
【０００２】
【従来の技術】
従来この種のガス遮断装置としては、特開平９−２１７８６０号公報に示すようなものがあった。以下、その構成について図面を参照して説明する。図７において、１は流量測定手段、２は外部センサ、３は制御手段、４は遮断弁、５は弁駆動手段、６は異常検出手段、７は報知手段、８は表示手段である。このような構成において、例えばリードスイッチ（図示せず）等により通過ガス流量を測定するが、外部センサ２に異常信号が入力された時、弁駆動手段５は制御手段３から遮断信号を受けて、遮断弁４の閉信号を出力するものである。
【０００３】
【発明が解決しようとする課題】
しかしながら、従来のガス遮断装置は、外部センサからの異常信号が入力された時に遮断弁を閉止するものであり、それ以外の時は、弁を常時開成状態に維持している。従って、ガス回路の端末機器が異常であっても燃焼を続ける（例えばガステーブル等で魚を焼く場合、魚が焦げて発火しても燃焼を続けるような状態）ため安全性の面での課題があった。
【０００４】
【課題を解決するための手段】
前記課題を解決するため本発明は、ガス機器と連絡されたガス流路を開閉する流体制御弁、前記流体制御弁を駆動する駆動手段、前記駆動手段へ駆動信号を出力する駆動回路部、前記駆動回路部の出力を制御する駆動制御手段、前記ガス流路を流れるガスの流量計測手段、前記流量計測手段からの信号で流量を演算し前記駆動手段を制御する演算処理部、および無線信号の受信手段を装備したガスメータと、前記ガス機器が備えるグリル内に設定することで前記ガス機器の温度を検知する温度センサと、この温度センサが設定値以上の温度を検知したとき、前記ガスメータの受信手段へ無線信号を出力する送信手段とを具備し、前記送信手段からの無線信号の出力を前記ガスメータの受信手段が受けると、その受信信号によって前記演算処理部が前記駆動制御手段、および駆動手段を介して前記流体制御弁を閉成するようにしたものである。
【０００５】
【発明の実施の形態】
本発明は、ガス機器と連絡されたガス流路を開閉する流体制御弁、前記流体制御弁を駆動する駆動手段、前記駆動手段へ駆動信号を出力する駆動回路部、前記駆動回路部の出力を制御する駆動制御手段、前記ガス流路を流れるガスの流量計測手段、前記流量計測手段からの信号で流量を演算し前記駆動手段を制御する演算処理部、および無線信号の受信手段を装備したガスメータと、前記ガス機器が備えるグリル内に設定することで前記ガス機器の温度を検知する温度センサと、この温度センサが設定値以上の温度を検知したとき、前記ガスメータの受信手段へ無線信号を出力する送信手段とを具備し、前記送信手段からの無線信号の出力を前記ガスメータの受信手段が受けると、その受信信号によって前記演算処理部が前記駆動制御手段、および駆動手段を介して前記流体制御弁を閉成するようにしたものである。
【０００６】
したがって、ガス機器が異常温度になったとき、流体制御弁を閉成してガスの供給を停止し、ガス事故を未然に防止するものである。
【０００７】
【実施例】
以下、本発明の実施例について図面を参照して説明する。
【０００８】
（参考例１）
図１は本発明の参考例１のガス遮断制御装置のシステム図である。また図２は同ガス遮断制御装置の動作を示すフローチャートである。
【０００９】
図１において、９はガスメータであり、ガスメータ９の内部には、入口１０と出口１１を連通し流量計測手段１２を有する流路１３が構成されている。流路１３には流路１３を開閉する流体制御弁１４と、流体制御弁１４を駆動する駆動手段であるステッピングモータ１５と、演算処理部１６と、演算処理部１６からの信号を入力してステッピングモータ１５へ駆動回路部１７からの出力を制御する駆動制御手段１８と、電池電源部１９と、アンテナ２０を有する受信手段２１で構成されている。２２は感震器、２３は圧力センサを示す。
【００１０】
また、出口１１から住宅の台所に設置された端末機器であるガステーブル２４へは手動開閉弁２５を介してガス配管２６が配管されている。２７は換気扇、２８は排気フードである。また、壁面２９には、ガステーブル２４のグリル３０からの煙３１を検出する煙センサ３２と、アンテナ３３を有する無線による送信手段３４が設けられている。
【００１１】
図２において、３５は演算処理部１６の内部に設けられている煙センサ３２からの信号を判断する判断部、３６は低周波数駆動モード、３７は所定の周波数駆動モードの命令を示している。
【００１２】
次に以上の構成における動作、作用について図１、図２により説明する。通常、ガスメータ９の内部にある流体制御弁１４は開成状態にある。この状態で流路１３をガスが流れる状態にあり、ガステーブル２４のグリル３０内で焼き魚料理が行われている。そして今、グリル３０で焼き魚料理を行っていることを忘れた場合、グリル３０からは、煙がモクモクと排出される。その時、煙センサ３２は煙を検出する。煙センサとしては、光の透過量で検出する方法や、臭いで検出する方法等がある。煙センサ３２が煙を検出すると送信手段３４が動作し、送信手段３４から送信された電波が、アンテナ３３、２０を介してガスメータ９の受信手段２１に受信される。受信された信号は演算処理部１６の判断部３５で処理され、低周波数モードの信号を出力するように駆動制御手段１８に送られ、駆動信号が駆動回路部１７に出力される。
【００１３】
その結果、ステッピングモータ１５は低周波数で駆動し流体制御弁１４を閉成するものである。その後、煙が無くなった時、グリル３０の炎調節バルブ（図示せず）は開成状態にある。従って、煙センサが作動して流体制御弁が閉成したときには、先ず、グリル３０の炎調節バルブ（図示せず）を閉成した後、ガスメータ９の復帰部（図示せず）を操作する事により、従来通りにガステーブル２４を使用することが出来るものである。ステッピングモータ１５は前述のように、周波数の変化で出力を可変できると共に、パルスの数により流体制御弁のストロークを可変することも可能である。従って少流量しか流れないガスメータにおいては、ストロークを少なく設定することも可能となる。
【００１４】
（実施例１）
図３に示す本発明の実施例１のガス遮断制御装置の端末機器断面図において、３８はガステーブルであり、３９はグリルである。グリル３９の上部には温度センサ４０を有するグリルバーナ４１が設けられている。温度センサ４０はアンテナ４２を有する送信手段４３と配線されている（図示せず）。
【００１５】
次に以上の構成における動作、作用について図３により説明する。通常、流量制御弁は開成状態にあり、ガステーブル３８が使用される。通常、ガステーブル３８のグリル３９内でグリル料理が行われる。そして今、グリル３９でグリル料理を行っていることを忘れた場合、グリル料理をしている調理品は最終的に発火に至る場合がある。その時、温度センサ４０は温度上昇を検出する。温度センサ４０が温度上昇を検出すると送信手段４３が動作し、送信手段４３から送信された電波が、アンテナ４２から送信される。その後最終的に、流体制御弁を遮断する動作は、参考例１と同様であり、説明は省略する。
【００１６】
（参考例２）
図４に示す本発明の参考例２のガス遮断制御装置の端末機器断面図において、４４はガステーブルであり、４５はグリルである。グリル４５の上部にはグリルバーナ４６が設けられている。またグリル４５の排気口４７近傍には温度センサ４８が設けられており、この温度センサ４８はアンテナ４９を有する送信手段５０と配線されている（図示せず）。
【００１７】
次に以上の構成における動作，作用について図４により説明する。通常、流量制御弁は開成状態にあり、ガステーブル４４が使用される。通常、ガステーブル４４のグリル４５内でグリル料理が行われる。そして今、グリル４５でグリル料理を行っていることを忘れた場合、グリル料理をしている調理品は最終的に発火に至る場合がある。その時、温度センサ４８はグリル４５の排気口４７の温度上昇を検出する。温度センサ４８が温度上昇を検出すると送信手段５０が動作し、送信手段５０から送信された電波が、アンテナ４９から送信される。その後最終的に、流体制御弁を遮断する動作は、実施例１と同様であり、説明は省略する。
【００１８】
尚、図４に示した温度センサ４８や、図３に示した温度センサ、或いは図１の煙センサ３２を各々設けて、これら複数のセンサの内、少なくとも一つのセンサからの信号で流体制御弁を制御することができる。
【００１９】
（参考例３）
図５に示す本発明の参考例３のガス遮断制御装置のシステム図において、流量制御弁５１は電磁式の駆動手段で開閉されている。その他は図１と同様であり、説明は省略する。
【００２０】
次に以上の構成における動作，作用について図５により説明する。通常、ガスメータ９の内部にある流体制御弁５１は開成状態にある。この状態で流路１３をガスが流れる状態にあり、ガステーブル２４のグリル３０内で焼き魚料理が行われている。そして今、グリル３０で焼き魚料理を行っていることを忘れた場合、グリル３０からは、煙がモクモクと排出される。その時、煙センサ３２は煙を検出する。煙センサ３２が煙を検出すると送信手段３４が動作し、送信手段３４から送信された電波が、アンテナ３３、２０を介してガスメータ９の受信手段２１に受信される。受信された信号は演算処理部１６の判断部３５で処理され、信号を出力するように駆動制御手段１８に送られ、駆動信号が駆動回路部１７に出力される。その結果、電磁式の駆動手段は駆動し流体制御弁５１を閉成するものである。
【００２１】
（参考例４）
図６に示す本発明の参考例４のガス遮断制御装置のシステム図において、５３はガス配管２６に配設されステッピングモータ５４により駆動される流体制御弁である。５５はアンテナ５６を有する受信手段である。この受信手段５５には受信信号を受けてステッピングモータ５４を駆動するための機能が内蔵されている（図示せず）。その他は図１と同様であり、説明は省略する。
【００２２】
次に以上の構成における動作，作用について図６により説明する。通常、流量制御弁５３は開成状態にあり、この状態で流路１３をガスが流れる状態にあり、ガステーブル２４のグリル３０内で焼き魚料理が行われている。そして今、グリル３０で焼き魚料理を行っていることを忘れた場合、グリル３０からは、煙が排出される。その時、煙センサ３２は煙を検出する。煙センサ３２が煙を検出すると送信手段３４が動作し、送信手段３４から送信された電波が、アンテナ３３、５６を介してガスメータ９の受信手段２１に受信される。受信された信号は演算処理部１６の判断部３５で処理され、駆動制御手段１８に送られ、駆動信号が駆動回路部１７に出力される。その結果、ステッピングモータ５４は駆動し流体制御弁５３を閉成するものである。
【００２３】
【発明の効果】
以上の説明から明らかなように、本発明のガス遮断制御装置によれば、ガス機器がが異常温度になったとき、流体制御弁を閉成し、ガスの供給を停止して消火させるようにしているため、火災などの事故を未然に防止することができ、また、温度情報を無線手段により演算処理部に伝送するものであるから、配線工事することなく、流体制御弁の駆動動作が可能であり、使い勝手が良くなる。
【図面の簡単な説明】
【図１】  本発明の参考例１のガス遮断制御装置のシステム構成図
【図２】  同ガス遮断制御装置の動作を示すフローチャート
【図３】  本発明の実施例１のガス遮断制御装置の端末機器の断面図
【図４】  本発明の参考例２のガス遮断制御装置の端末機器の断面図
【図５】  本発明の参考例３のガス遮断制御装置のシステム構成図
【図６】  本発明の参考例４のガス遮断制御装置のシステム構成図
【図７】  従来のガス遮断制御装置のシステム構成図
【符号の説明】
１２  流量計測手段
１３  流路
１４  流体制御弁
１５  駆動手段
１６  演算処理部
１７  駆動回路部
１８  駆動制御手段
２４  端末機器
３２  端末機器状態検出センサ
【図１】
0004529199.tif 000002
【図２】
0004529199.tif 000003
【図３】
0004529199.tif 000004
【図４】
0004529199.tif 000005
【図５】
0004529199.tif 000006
【図６】
0004529199.tif 000007
【図７】
0004529199.tif 000008